【手続補正書】
【提出日】令和1年10月16日(2019.10.16)
【手続補正１】
【補正対象書類名】特許請求の範囲
【補正対象項目名】全文
【補正方法】変更
【補正の内容】
【特許請求の範囲】
【請求項１】
現金処理装置に対して取引内容を表すコード情報を与えて上記現金処理装置に現金処理をさせる取引実行装置において、
表示部と、
操作部と、
上記操作部から入力された取引内容を、上位サーバと通信して、事前登録する登録部と、
事前登録した上記取引内容を表すコード情報を上記表示部に表示させる取引実行部と
を有し、
上記取引実行部が、上記現金処理装置による取引実行前に、当該取引の正当性を確認する取引正当性確認処理を行なうことを特徴とする取引実行装置。
【請求項２】
上記登録部が、暗証番号入力画面を上記表示部又は上記操作部に表示して、上記操作部から入力された登録暗証番号及び上記取引内容を事前登録し、
上記取引実行部が、
暗証番号入力画面を上記表示部又は上記操作部に表示して、上記操作部から入力された入力暗証番号及び取引実行要求を上記上位サーバに与えて暗証照合をさせ、
上記上位サーバから暗号照合を正当とした取引実行許可を取得すると、上記コード情報を上記表示部に表示する
ことを特徴とする請求項１に記載の取引実行装置。
【請求項３】
上記取引実行部が、
上記取引内容及び上記登録暗証番号の事前登録から、上記現金処理装置による取引実行までの経過時間を判定し、
経過時間が所定時間内のときには、暗証番号入力画面を上記表示部又は上記操作部に表示せず、上記上位サーバに取引実行要求を与え、上記取引実行許可を取得すると、上記コード情報を上記表示部に表示し、
経過時間が所定時間を超えるときには、暗証番号入力画面を上記表示部又は上記操作部に表示して、入力暗証番号及び取引実行要求を上記上位サーバに与えて暗証照合をさせ、暗号照合を正当とした取引実行許可を取得すると、上記コード情報を上記表示部に表示する
ことを特徴とする請求項２に記載の取引実行装置。
【請求項４】
近距離無線通信部を備え、
上記登録部が、暗証番号入力画面を上記表示部又は上記操作部に表示して、上記操作部から入力された登録暗証番号及び上記取引内容を、上記事前登録し、
上記取引実行部が、
上記操作部からコード情報表示指示を受け、上記コード情報を上記表示部に表示し、
近距離無線通信で上記現金処理装置から暗証番号入力要求を取得すると、暗証番号入力画面を上記表示部又は上記操作部に表示し、入力暗証番号及び取引実行要求を上記上位サーバに与えて暗証照合をさせ、暗号照合を正当とした取引実行許可を取得すると、上記コード情報を上記表示部に表示する
ことを特徴とする請求項１に記載の取引実行装置。
【請求項５】
上記登録部が、上記事前登録の際に、当該取引の有効期限を表示部に表示し、
上記取引実行部が、上記操作部からコード情報表示指示を受け、上記事前登録に係る取引が有効期限を超えている場合に、有効期限である旨を上記表示部に表示する
ことを特徴とする請求項１に記載の取引実行装置。
【請求項６】
上記取引実行部が、
上記事前登録に係る取引が有効期限を超えている場合に、上記上位サーバに対して取引データの削除要求を行ない、
上記上位サーバから取引データの削除の旨を取得すると、上記有効期限である旨を上記表示部に表示する
ことを特徴とする請求項５に記載の取引実行装置。
【請求項７】
近距離無線通信部を備え、
上記登録部が、上記事前登録の際に、当該取引の有効期限を表示部に表示し、
上記取引実行部が、
上記操作部からコード情報表示指示を受け、上記コード情報を上記表示部に表示し、
近距離無線通信で上記現金処理装置から、上記事前登録に係る取引が有効期限を超えている旨を取得すると、上記上位サーバに対して取引データの削除要求を行ない、
上記上位サーバから取引データの削除の旨を取得すると、上記有効期限である旨を上記表示部に表示する
ことを特徴とする請求項１に記載の取引実行装置。
【請求項８】
現金処理装置に対して取引内容を表すコード情報を与えて上記現金処理装置に現金処理をさせる取引実行装置において、
表示部と、
操作部と、
上記操作部から入力された取引内容を、上位サーバと通信して、事前登録する登録部と、
事前登録した上記取引内容を表すコード情報を上記表示部に表示させる取引実行部と
を有し、
上記取引実行部が、上記現金処理装置による取引実行前に、当該取引を継続させる取引継続処理を行なうことを特徴とする取引実行装置。
【請求項９】
上記取引実行部が、
上記上位サーバから残高不足の旨を取得すると、借り入れ取引の入力画面を表示部に表示し、上記上位サーバに対して借り入れ取引実行要求をして、
上記上位サーバから取引実行許可を取得すると、上記コード情報を
表示部に表示する
ことを特徴とする請求項８に記載の取引実行装置。
【請求項１０】
上記取引実行部が、上記上位サーバから残高不足の旨を取得すると、新たな取引内容の登録を促す取引登録画面を表示することを特徴とする請求項８に記載の取引実行装置。
【請求項１１】
上記取引実行部が、
取引に係る手数料を上記表示部に表示し、
上記手数料を伴う取引を実施するか否かの確認を得て、コード情報を上記表示部に表示する
ことを特徴とする請求項８に記載の取引実行装置。
【請求項１２】
上記取引実行部が、
上記取引に係る手数料の変更を取得すると、手数料の変更画面を表示し、
上記手数料を伴う取引を実施するか否かの確認を得て、コード情報を上記表示部に表示する
ことを特徴とする請求項８又は１１に記載の取引実行装置。
【請求項１３】
上記取引実行部が、
装置変更申請を上記表示部に表示し、
上記上位サーバから変更装置への取引データの引継情報を上記表示部に表示する
ことを特徴とする請求項８に記載の取引実行装置。
【請求項１４】
上記取引実行部が、
別装置への変更の際に、取引データの引継情報を入力する入力画面を上記表示部に表示し、
上記上位サーバにおける上記取引データの変更装置への引継ぎが完了すると、引継完了画面を上記表示部に表示する
ことを特徴とする請求項８又は１３に記載の取引実行装置。
【請求項１５】
現金処理装置に対して取引内容を表すコード情報を与えて上記現金処理装置に現金処理をさせる取引実行プログラムにおいて、
表示部と操作部とを備えるコンピュータを、
上記操作部から入力された取引内容を、上位サーバと通信して、事前登録する登録部と、
事前登録した上記取引内容を表すコード情報を上記表示部に表示させる取引実行部と
して機能させ、
上記取引実行部が、上記現金処理装置による取引実行前に、当該取引の正当性を確認する取引正当性確認処理を行なうことを特徴とする取引実行プログラム。
【請求項１６】
現金処理装置に対して取引内容を表すコード情報を与えて上記現金処理装置に現金処理をさせる取引実行プログラムにおいて、
表示部と操作部とを備えるコンピュータを、
上記操作部から入力された取引内容を、上位サーバと通信して、事前登録する登録部と、
事前登録した上記取引内容を表すコード情報を上記表示部に表示させる取引実行部と
して機能させ、
上記取引実行部が、上記現金処理装置による取引実行前に、当該取引を継続させる取引継続処理を行なうことを特徴とする取引実行プログラム。
【請求項１７】
現金処理装置と、
上記現金処理装置に対して取引内容を表すコード情報を与えて上記現金処理装置に現金処理をさせる請求項１〜１４のいずれかに記載の取引実行装置と、
上記取引実行装置から登録要求に基づいて、取引内容の事前登録を行なう上位サーバと
を備えることを特徴とする情報通信システム。
【請求項１８】
所定の取引処理を行なう現金処理装置において、
コード情報を読み取るコード読取部と、
上記コード読取部からの取引データに含まれる取引の正当性に関する情報に基づいて取引を行なうか否かを判定する判定部と、
上記判定部による判定結果を、近距離無線通信する近距離無線通信部と、
上記近距離無線通信部を介して取引実行許可を受信すると、所定の現金処理を実行する取引処理部と
を備えることを特徴とする現金処理装置。
【請求項１９】
上記取引の正当性に関する情報が、当該取引に係る暗証番号の有無であることを特徴とする請求項１８に記載の現金処理装置。
【請求項２０】
上記取引の正当性に関する情報が、当該取引の有効期限であることを特徴とする請求項１８に記載の現金処理装置。
【手続補正２】
【補正対象書類名】明細書
【補正対象項目名】００１１
【補正方法】変更
【補正の内容】
【００１１】
かかる課題を解決するために、第１の本発明に係る取引実行装置は、現金処理装置に対して取引内容を表すコード情報を与えて現金処理装置に現金処理をさせる取引実行装置において、（１）表示部と、（２）操作部と、（３）操作部から入力された取引内容を、上位サーバと通信して、事前登録する登録部と、（４）事前登録した取引内容を表すコード情報を表示部に表示させる取引実行部とを有し、取引実行部が、現金処理装置による取引実行前に、当該取引の正当性を確認する取引正当性確認処理を行なうことを特徴とする。
【手続補正３】
【補正対象書類名】明細書
【補正対象項目名】００１３
【補正方法】変更
【補正の内容】
【００１３】
第２の本発明に係る取引実行装置は、現金処理装置に対して取引内容を表すコード情報を与えて現金処理装置に現金処理をさせる取引実行プログラムにおいて、（１）表示部と、（２）操作部と、（３）操作部から入力された取引内容を、上位サーバと通信して、事前登録する登録部と、（４）事前登録した取引内容を表すコード情報を表示部に表示させる取引実行部とを有し、取引実行部が、現金処理装置による取引実行前に、当該取引を継続させる取引継続処理を行なうことを特徴とする。
【手続補正４】
【補正対象書類名】明細書
【補正対象項目名】００１５
【補正方法】変更
【補正の内容】
【００１５】
第３の本発明に係る取引実行プログラムは、現金処理装置に対して取引内容を表すコード情報を与えて現金処理装置に現金処理をさせる取引実行プログラムにおいて、表示部と操作部とを備えるコンピュータを、（１）操作部から入力された取引内容を、上位サーバと通信して、事前登録する登録部と、（２）事前登録した取引内容を表すコード情報を表示部に表示させる取引実行部として機能させ、取引実行部が、上記現金処理装置による取引実行前に、当該取引の正当性を確認する取引正当性確認処理を行なうことを特徴とする。
【手続補正５】
【補正対象書類名】明細書
【補正対象項目名】００１６
【補正方法】変更
【補正の内容】
【００１６】
第４の本発明に係る取引実行プログラムは、現金処理装置に対して取引内容を表すコード情報を与えて現金処理装置に現金処理をさせる取引実行プログラムにおいて、表示部と操作部とを備えるコンピュータを、（１）操作部から入力された取引内容を、上位サーバと通信して、事前登録する登録部と、（２）事前登録した取引内容を表すコード情報を表示部に表示させる取引実行部として機能させ、取引実行部が、現金処理装置による取引実行前に、当該取引を継続させる取引継続処理を行なうことを特徴とする。
【手続補正６】
【補正対象書類名】明細書
【補正対象項目名】００１７
【補正方法】変更
【補正の内容】
【００１７】
第５の本発明に係る情報通信システムは、現金処理装置と、現金処理装置に対して取引内容を表すコード情報を与えて現金処理装置に現金処理をさせる第１又は第２の本発明に係る取引実行装置と、取引実行装置から登録要求に基づいて、取引内容の事前登録を行なう上位サーバとを備えることを特徴とする。
【手続補正７】
【補正対象書類名】明細書
【補正対象項目名】００１８
【補正方法】変更
【補正の内容】
【００１８】
第６の本発明に係る現金処理装置は、所定の取引処理を行なう現金処理装置において、（１）コード情報を読み取るコード読取部と、（２）コード読取部からの取引データに含まれる取引の正当性に関する情報に基づいて取引を行なうか否かを判定する判定部と、（３）判定部による判定結果を、近距離無線通信する近距離無線通信部と、（４）近距離無線通信部を介して取引実行許可を受信すると、所定の現金処理を実行する取引処理部とを備えることを特徴とする。